(57)【要約】【課題】私設移動通信サービスシステムにおける私設基地局制御機の主制御部と呼管理部のWSMとの間にLANネットワークを用いて運用情報を処理できるようにするIPネットワークを基盤とした運用／維持保守処理装置を提供する。【解決手段】本発明による運用／維持保守処理装置は、私設基地局制御機４４１からIPネットワークを介し運用/維持保守情報を受けて処理し、運用／維持保守制御信号を生成してIPネットワークを介し私設基地局制御機４４１に伝送する無線システム管理部と、各ボードから運用／維持保守情報を収集して出力し、各ボードの運用／維持保守制御信号を受信して各ボードに対するリセット信号を発生するハードウェアアラーム収集部４４２と、運用／維持保守情報が受信されるとIPネットワークを介して無線システム管理部に伝送し、無線システム管理部からIPネットワークを介し運用／維持保守制御信号が受信されるとハードウェアアラーム収集部に伝送する私設基地局制御機の主制御部４４１とを備えてなる。【選択図】  図５
2004248292.tif 000002
【特許請求の範囲】
【請求項１】
私設基地局制御機と私設基地局とを含む私設移動通信サービスシステムの運用／維持保守処理装置において、
前記私設基地局制御機からIPネットワークを介し運用／維持保守情報を受けて処理し、運用／維持保守制御信号を生成してIPネットワークを介し前記私設基地局制御機に伝送する無線システム管理部と、
前記私設基地局制御機に実装されて各ボードから運用／維持保守情報を収集して出力し、各ボードの運用／維持保守制御信号を受信して各ボードに対するリセット信号を発生するハードウェアアラーム収集部と、
前記ハードウェアアラーム収集部から運用／維持保守情報が受信されると、リンクアドレスを確認してリンクアドレスが前記無線システム管理部ならばIPネットワークを介して前記無線システム管理部に伝送し、前記無線システム管理部からIPネットワークを介して運用／維持保守制御信号が受信されると、該受信された運用／維持保守制御信号を前記ハードウェアアラーム収集部に伝送する私設基地局制御機の主制御部と、を備えることを特徴とするIPネットワークを基盤とした運用／維持保守処理装置。
【請求項２】
IPネットワークが高速イーサネットであることを特徴とする請求項１記載のIPネットワークを基盤とした運用／維持保守処理装置。
【請求項３】
無線システム管理部は、
私設基地局制御機の主制御部による運用情報を受けてローディング、形状管理、統計測定等の運用機能を提供し、運用制御信号を生成して出力する運用機能モジュールと、
前記私設基地局制御機の主制御部による維持保守情報を受けてシステム状態監視、システム障害制御、システム試験等の維持保守機能を提供し、維持保守制御信号を生成して出力する維持保守機能モジュールと、
前記私設基地局制御機の主制御部からIPネットワークを介して運用／維持保守情報を伝達され、運用情報は前記運用機能モジュールに出力し、維持保守情報は前記維持保守機能モジュールに出力し、前記運用機能モジュールと前記維持保守機能モジュールから運用／維持保守制御信号を受けてIPネットワークを介し前記私設基地局制御機の主制御部に伝送する一般機能モジュールと、を備えてなる請求項１記載のIPネットワークを基盤とした運用／維持保守処理装置。
【請求項４】
運用機能モジュールは、
システムローディングを担当するシステムローディング管理者モジュールと、
構成及び形状管理を担当する形状データ管理者モジュールと、
測定及び統計機能を行う測定統計管理者モジュールと、を備えてなる請求項３記載のIPネットワークを基盤とした運用／維持保守処理装置。
【請求項５】
維持保守機能モジュールは、
システムのプロセッサー、各種リンク、そして各種ディバイスの状態を監視する状態管理者モジュールと、
システムの各種障害と警報を収集して運用者に報告する障害管理者モジュールと、
各種デバイスに対する試験と試験呼処理等を行うテスト管理者モジュールと、を備えてなる請求項３記載のIPネットワークを基盤とした運用／維持保守処理装置。
【請求項６】
一般機能モジュールは、
無線システム管理部の駆動時、必要な応用部等を生成して管理する初期化管理者モジュールと、
LAN接続及びシステムとのデータ送受信を処理するLANインターフェース管理者モジュールと、
グラフィック使用者整合機能を提供する役割を行うユーザーインターフェース管理者モジュールと、を備えてなる請求項３記載のIPネットワークを基盤とした運用／維持保守処理装置。
【請求項７】
私設基地局制御機の主制御部は、
LANネットワークとのインターフェースを提供して無線システム管理部とのIP通信を提供するLANインターフェースと、
ハードウェアアラーム収集部から運用／維持保守情報が受信されると、リンクアドレスを確認してリンクアドレスが前記無線システム管理部ならば、前記LANインターフェースを介して前記無線システム管理部に伝送する運用／維持保守情報伝送部と、
前記LANインターフェースを介して前記無線システム管理部から運用／維持保守制御信号を受信して前記ハードウェア障害収集部に伝送する運用／維持保守制御信号伝送部と、を備えてなる請求項１記載のIPネットワークを基盤とした運用／維持保守処理装置。
【請求項８】
運用／維持保守情報伝送部は、
ハードウェアアラーム収集部から運用／維持保守情報を受信する運用／維持保守情報受信部と、
前記運用／維持保守情報受信部で受信された運用／維持保守情報のリンクアドレスを確認してリンクアドレスが無線システム管理部ならば、LANインターフェースを介して前記無線システム管理部に伝送するリンクアドレス確認部と、を備えてなる請求項７記載のIPネットワークを基盤とした運用／維持保守処理装置。
【請求項９】
運用／維持保守制御信号伝送部は、
無線システム管理部からLANインターフェースを介して運用／維持保守制御信号を受信するための運用／維持保守制御信号受信部と、
前記運用／維持保守制御信号をハードウェアアラーム収集部に伝送するための運用／維持保守制御信号送信部と、を備えてなる請求項７記載のIPネットワークを基盤とした運用／維持保守処理装置。
【請求項１０】
私設基地局制御機と私設基地局とを含む私設移動通信サービスシステムに適用される運用／維持保守処理方法において、
私設基地局制御機の主制御部がハードウェアアラーム収集部により収集された各ボードの運用／維持保守情報の伝送されるべきリンクアドレスを確認する第１ステップと、
前記第１ステップの確認結果、リンクアドレスが無線システム管理者モジュールならば、IPネットワークを介して前記無線システム管理者モジュールに伝送し、該無線システム管理者モジュールが伝送された運用／維持保守情報を処理する第２ステップと、
前記無線システム管理者モジュールが運用／維持保守制御信号を生成してIPネットワークを介し前記私設基地局制御機の主制御部に伝送する第３ステップと、
前記私設基地局制御機の主制御部が運用／維持保守制御信号を受けて前記ハードウェアアラーム収集部に運用／維持保守制御信号を伝送し、前記ハードウェアアラーム収集部が各ボードに対するリセット信号を生成して出力する第４ステップと、を含むことを特徴とするIPネットワークを基盤とした運用／維持保守処理方法。
【請求項１１】
第１ステップは、
ハードウェアアラーム収集部が各ボードの運用／維持保守情報を収集して私設基地局制御機の主制御部に伝送するステップと、
前記私設基地局制御機の主制御部が運用／維持保守情報の伝送先リンクアドレスを確認するステップと、を含む請求項１０記載のIPネットワークを基盤とした運用／維持保守処理方法。
【請求項１２】
第２ステップは、
第１ステップの確認結果、リンクアドレスが無線システム管理者モジュールならば、IPネットワークを介して前記無線システム管理者モジュールに運用／維持保守情報を伝送するステップと、
前記無線システム管理者モジュールの一般機能モジュールがIPネットワークから運用／維持保守情報を受信するステップと、
前記一般機能モジュールは、受信した運用／維持保守情報のうち運用情報を、運用機能モジュールに伝送して処理するステップと、
前記一般機能モジュールは、受信した運用／維持保守情報のうち維持保守情報を、維持保守機能モジュールに伝送して処理するステップと、を含む請求項１０記載のIPネットワークを基盤とした運用／維持保守処理方法。
【請求項１３】
第４ステップは、
私設基地局制御機の主制御部がIPネットワークを介して運用／維持保守制御信号を受信するステップと、
前記私設基地局制御機の主制御部が運用／維持保守制御信号をハードウェアアラーム収集部に伝送するステップと、
前記ハードウェアアラーム収集部が該当ボードに対するリセット信号を生成して出力するステップと、を含む請求項１０記載のIPネットワークを基盤とした運用／維持保守処理装置方法。
【請求項１４】
私設基地局制御機と私設基地局とを含む私設移動通信サービスシステムの運用／維持保守処理装置において、
運用情報を伝達されてローディング、形状管理、統計測定のうち少なくとも一つの運用機能を提供し、運用制御信号を生成して出力する運用機能モジュールと、
維持保守情報を伝達されてシステム状態監視、システム障害制御、システム試験のうち少なくとも一つの維持保守機能を提供し、維持保守制御信号を生成して出力する維持保守機能モジュールと、
IPネットワークを介して運用／維持保守情報を受信し、運用情報は前記運用機能モジュールに出力し、維持保守情報は前記維持保守機能モジュールに伝送し、前記運用機能モジュールと前記維持保守機能モジュールから運用／維持保守制御信号を受けてIPネットワークを介し前記私設基地局制御機の主制御部に伝送する一般機能モジュールと、を無線システム管理部に備えたことを特徴とするIPネットワークを基盤とした運用／維持保守処理装置。
【請求項１５】
運用機能モジュールは、
システムローディングを担当するシステムローディング管理者モジュールと、
構成及び形状管理を担当する形状データ管理者モジュールと、
測定及び統計機能を行う測定統計管理者モジュールと、を備えてなる請求項１４記載のIPネットワークを基盤とした運用／維持保守処理装置。
【請求項１６】
維持保守機能モジュールは、
システムのプロセッサー、各種リンク、そして各種ディバイスの状態を監視する状態管理者モジュールと、
システムの各種障害と警報を収集して運用者に報告する障害管理者モジュールと、
各種ディバイスに対する試験と試験呼処理等を行うテスト管理者モジュールと、を備えてなる請求項１４記載のIPネットワークを基盤とした運用／維持保守処理装置。
【請求項１７】
一般機能モジュールは、
無線システム管理部の駆動時、必要な応用部等を生成して管理する初期化管理者モジュールと、
LAN接続及びシステムとのデータ送受信を処理するLANインターフェース管理者モジュールと、
グラフィック使用者整合機能を提供する役割を行うユーザーインターフェース管理者モジュールと、を備えてなる請求項１４記載のIPネットワークを基盤とした運用／維持保守処理装置。
【請求項１８】
私設基地局制御機に実装されて各ボードから運用／維持保守情報を収集して出力し、各ボードの運用／維持保守制御信号を受信して各ボードに対するリセット信号を発生するハードウェアアラーム収集部を更に備える請求項１４記載のIPネットワークを基盤とした運用／維持保守処理装置。
【請求項１９】
運用／維持保守情報が受信されると、リンクアドレスを確認してリンクアドレスが無線システム管理部ならば、IPネットワークを介して前記無線システム管理部に伝送し、前記無線システム管理部からIPネットワークを介して運用／維持保守制御信号が受信されると、該受信された運用／維持保守制御信号をハードウェアアラーム収集部に伝送する私設基地局制御機の主制御部を備えている請求項１４記載のIPネットワークを基盤とした運用／維持保守処理装置。
【請求項２０】
私設基地局制御機と私設基地局とを含む私設移動通信サービスシステムの運用／維持保守処理装置において、
IP通信のためにLANネットワークとのインターフェースを提供するLANインターフェースと、
運用／維持保守情報が受信されると、リンクアドレスを確認し、リンクアドレスが無線システム管理部ならば、前記LANインターフェースを介して前記運用／維持保守情報を伝送する運用／維持保守情報伝送部と、
前記LANインターフェースを介して運用／維持保守制御信号を受信してハードウェアアラーム収集部に伝送する運用／維持保守制御信号伝送部と、を私設基地局制御機の主制御部に備えることを特徴とするIPネットワークを基盤とした運用／維持保守処理装置。
【発明の詳細な説明】
【技術分野】
【０００１】
本発明は、私設移動通信サービスシステムにおける運用／維持保守処理装置及びその方法に関し、特に 私設移動通信サービスシステムにおける私設基地局の主制御部(BMP:BSC Main Processor)と呼管理部(Call Manager)のWSM(Wireless System Manager)との間にLANネットワークを用いて運用情報を処理できるようにする私設移動通信サービスシステムにおけるIPネットワークを基盤とした運用／維持保守処理装置及びその方法に関する。
【背景技術】
【０００２】
一般に、構内の音声に対する私設有線通信サービスは、私設交換機(またはキーホンシステム)でサービスを行い、データに対する通信サービスは、サーバを用いたLANスイッチとルータ等を用いてサービスを行う。
【０００３】
また、一般に、移動通信は、構内等限定された領域とは関係なく、どこでもサービスが可能であるが、これは移動通信サービスシステムを利用するものであり、設定された領域内で別途の課金なしに無線で通信することはできなかった。
【０００４】
すなわち、有線私設交換機の端末機と移動通信サービス加入者の移動端末が通話するためには、それぞれの交換機から公衆網で連結した後、相手の端末機にコールを連結する方式であった。
【０００５】
ここで、公衆網は、移動通信網と公衆電話交換網を含む。これにより、有線加入者と移動通信サービス加入者が同じビル内で通話しても課金される不都合があった。
【０００６】
したがって、有線加入者と移動通信サービス加入者が同じビル内で通話する場合、課金されずに通話が可能な私設移動通信サービスシステムが開発された(ここで、従来の移動通信サービスシステムを公衆移動通信サービスシステムと言い、私設移動通信サービスシステムと区別する)。
【０００７】
開発された私設移動通信サービスシステムは、私設移動通信サービスに登録された移動通信加入者が私設移動通信サービスが提供される地域内で別途の課金なしに私設移動通信サービスシステムに登録された他の移動通信加入者、または私設交換機に連結した内線で互いに通話サービスの提供を受けることができるようにした。
【０００８】
図１は、従来技術に係る公衆及び私設移動通信サービスの概念を説明するための網構成図である。
【０００９】
従来技術に係る公衆及び私設移動通信サービスを共に提供するために図１に示すように、公衆及び私設共有通信サービス領域である公衆／私設共有セル領域(114)を有し、公衆／私設通信サービス装置(112)を備えている。
【００１０】
公衆移動通信サービスシステムに属している基地局(BTS)、すなわち、図１に一例として示されたBTS(106-1、…、106-k、108-1)と公衆／私設共有セル領域(114)内の私設基地局(108-k)を区別するために、私設基地局(108-k)をpBTS(private BTS)と呼ぶ。
【００１１】
pBTS(108-k)は公衆／私設共有セル領域(114)に属しているMS(124)と共に無線通信路を構成し、無線資源を管理する機能を行い、公衆／私設通信サービス装置(112)を介して公衆移動通信サービスシステムのBSC、例えば、図１のBSC(104-m)と連結される。
【００１２】
公衆／私設通信サービス装置(112)は、公衆移動通信サービスシステムのBSC(104-m)、PSTN／ISDN(116)、IP網(Internet Protocol Network)(118)と接続される。公衆／私設通信サービス装置(112)は、公衆移動通信サービス及び私設移動通信サービスが公衆／私設共有セル領域(114)内のMSに、例えば、図１のMS(124)に選択的に提供され得るように移動通信サービスを行う。
【００１３】
仮に、MS(124)が私設移動通信サービスを受けることができるように公衆／私設通信サービス装置(112)に登録されていれば、MS(124)は、公衆移動通信サービスはもちろん私設移動通信サービスの提供も受けることができる。
【００１４】
しかしながら、MS(124)に対する私設移動通信サービス登録が公衆／私設通信サービス装置(112)になされていなければ、MS(124)は、公衆移動通信サービスだけの提供を受ける。また、公衆／私設通信サービス装置(112)は、PSTN／ISDN(116)及びIP網(118)との有線通信サービスをも行う。
【００１５】
図２は、従来技術に係る私設移動通信サービスシステムの構成図であり、従来の公衆移動通信サービスシステムは基地局と基地局制御機が各々別途に存在し、別途に設置されていて、E1／T1リンクを用いて互いに必要な信号を送受信することとは異なって、私設移動通信サービスシステムにおいては、私設基地局(232)と私設基地局制御機(230)とが同じ場所に位置することができ、近接して設けられている。
【００１６】
さらに、運用者が私設基地局制御機を運用したり、維持保守する時用いるMAP(Maintence & Administration PC)(220)がLANを介して私設基地局制御機や私設基地局に連結していて、運用者は、私設基地局制御機(230)や私設基地局(232)の状態を容易に把握できて運用・維持・保守できるようになっている。
【００１７】
また、私設移動通信サービスシステムの無線呼に対する制御機能を行う呼管理部(210)は、私設基地局制御機(230)と私設基地局(232)にローカルLANを介して連結していて、私設基地局制御機(230)と私設基地局(232)に対する無線資源に対する運用・維持・保守機能等を担当する。
【００１８】
このような呼管理部(210)には、私設基地局制御機(230)に対するローディング、形状管理、統計測定、状態監視、障害制御、システム試験等の運用・維持・保守機能を担当するWSM(Wireless System Manager)が備えられているが、呼管理部(210)に備えたWSMは、私設基地局制御機(230)と光線路を介して維持保守情報を交換している。
【００１９】
すなわち、図３から分かるように、呼管理部(210)と私設基地局制御機(230)の各々に光トランシーバー(310、320)を備え、それぞれの光トランシーバー(310、320)に光線路(325)を連結することにより、私設基地局制御機(230)と呼管理部(210)のWSMが運用・維持・保守情報を交換している。
【００２０】
一方、私設基地局制御機(230)は、呼管理部(210)のWSMに運用・維持・保守情報を伝送するために、2.5Gbpsの容量を有するATMスイッチであるBAN(BSC ATM switch Network)を用いる。私設基地局制御機(230)は、私設基地局制御機(230)の主制御部(BMP:BSC Main Processor)から伝送された運用・維持・保守情報をBANを介してATMデータに変換した後、光トランシーバー(310、320)と光線路とを介して呼管理部(210)のWSMに伝送する。
【００２１】
また、この際、BANを構成するボードでATMセルを多重化／逆多重化するACMA(ATM Cell Mux／Demux board Assembly)ボード、BMPと他のプロセッサー間の通信経路を提供するASFA(ATM Switch Fabric board Assembly)ボード、私設基地局とE1／T1とを連結してATMセルを交換するAETA(ATM E1／T1 interface board Assembly)ボード、ASFAボードの1ポートと１：１に整合してLVDS(Low Voltage Differential Signaling)を介して呼管理部(210)のWSMとデータを送受信するAS1A(ATM STM-1 interface board Assembly)で構成されている。
【００２２】
私設基地局制御機(230)は、呼管理部(210)のWSMに運用・維持・保守情報を伝送するために、BSMから伝送された運用・維持・保守情報をACMAボードとASFAボードとAS1Aボードとを経由して光線路を介して呼管理部(210)のWSMに伝送している。
【００２３】
このように、私設移動通信サービスシステムにおけるWSMとBMPとの間の物理的な連結がATMを基盤としてなされており、私設基地局制御機のBMP→ASFA→ASIAを経てWSMに実装されたATMインターフェースカードと光線路(optical cable)とで連結される。しかし、実際にBMPとWSMとの間にやり取りするトラフィックの性格を察し見れば、主に運用・維持・保守と関連したデータでQoSが保障されるべき時間依存的なトラフィックでないことが分かる。
【００２４】
したがって、このような種類のネットワークトラフィックを受け入れるために、多くの費用がかかるATMネットワークを基盤としてWSMとBMPがATM通信を行う必要はない。
【発明の開示】
【発明が解決しようとする課題】
【００２５】
したがって、本発明は、前記問題点を解決するために案出されたもので、WSMとBMPとの間におけるATMネットワークを基盤としたATMデータ通信を、高速イーサネットを基盤としたLAN通信に変更してWSMシステムの設置運用において、費用を節減して柔軟性を高めることができるようにした私設移動通信サービスシステムにてIPネットワークを基盤とした運用／維持保守処理装置及びその方法を提供することをその目的とする。
【課題を解決するための手段】
【００２６】
このような目的を達成するための本発明は、私設基地局制御機と私設基地局とを含む私設移動通信サービスシステムの運用／維持保守処理装置において、私設基地局制御機からIPネットワークを介し運用／維持保守情報を受けて処理し、運用／維持保守制御信号を生成してIPネットワークを介し私設基地局制御機に伝送する無線システム管理部と、私設基地局制御機に実装されて各ボードから運用／維持保守情報を収集して出力し、各ボードの運用／維持保守制御信号を受信して各ボードに対するリセット信号を発生するハードウェアアラーム収集部と、ハードウェアアラーム収集部から運用／維持保守情報が受信されると、リンクアドレスを確認してリンクアドレスが無線システム管理部ならばIPネットワークを介して無線システム管理部に伝送し、無線システム管理部からIPネットワークを介して運用／維持保守制御信号が受信されると、該受信された運用／維持保守制御信号をハードウェアアラーム収集部に伝送する私設基地局制御機の主制御部と、を備えることを特徴とするIPネットワークを基盤とした運用／維持保守処理装置を提供する。
【００２７】
その無線システム管理部は、私設基地局制御機の主制御部による運用情報を受けてローディング、形状管理、統計測定等の運用機能を提供し、運用制御信号を生成して出力する運用機能モジュールと、私設基地局制御機の主制御部による維持保守情報を受けてシステム状態監視、システム障害制御、システム試験等の維持保守機能を提供し、維持保守制御信号を生成して出力する維持保守機能モジュールと、私設基地局制御機の主制御部からIPネットワークを介して運用／維持保守情報を伝達され、運用情報は運用機能モジュールに出力し、維持保守情報は維持保守機能モジュールに出力し、運用機能モジュールと維持保守機能モジュールから運用／維持保守制御信号を受けてIPネットワークを介し私設基地局制御機の主制御部に伝送する一般機能モジュールと、を備えてなるものとすることができる。そして、運用機能モジュールは、システムローディングを担当するシステムローディング管理者モジュールと、構成及び形状管理を担当する形状データ管理者モジュールと、測定及び統計機能を行う測定統計管理者モジュールと、を備えてなるものとし、維持保守機能モジュールは、システムのプロセッサー、各種リンク、そして各種ディバイスの状態を監視する状態管理者モジュールと、システムの各種障害と警報を収集して運用者に報告する障害管理者モジュールと、各種デバイスに対する試験と試験呼処理等を行うテスト管理者モジュールと、を備えてなるものとし、一般機能モジュールは、無線システム管理部の駆動時、必要な応用部等を生成して管理する初期化管理者モジュールと、LAN接続及びシステムとのデータ送受信を処理するLANインターフェース管理者モジュールと、グラフィック使用者整合機能を提供する役割を行うユーザーインターフェース管理者モジュールと、を備えてなるものとする。
【００２８】
また、私設基地局制御機の主制御部は、LANネットワークとのインターフェースを提供して無線システム管理部とのIP通信を提供するLANインターフェースと、ハードウェアアラーム収集部から運用／維持保守情報が受信されると、リンクアドレスを確認してリンクアドレスが無線システム管理部ならば、LANインターフェースを介して無線システム管理部に伝送する運用／維持保守情報伝送部と、LANインターフェースを介して無線システム管理部から運用／維持保守制御信号を受信してハードウェア障害収集部に伝送する運用／維持保守制御信号伝送部と、を備えることができる。運用／維持保守情報伝送部は、ハードウェアアラーム収集部から運用／維持保守情報を受信する運用／維持保守情報受信部と、運用／維持保守情報受信部で受信された運用／維持保守情報のリンクアドレスを確認してリンクアドレスが無線システム管理部ならば、LANインターフェースを介して無線システム管理部に伝送するリンクアドレス確認部と、を備え、運用／維持保守制御信号伝送部は、無線システム管理部からLANインターフェースを介して運用／維持保守制御信号を受信するための運用／維持保守制御信号受信部と、運用／維持保守制御信号をハードウェアアラーム収集部に伝送するための運用／維持保守制御信号送信部と、を備えてなるものとする。
【００２９】
この他に、本発明は、私設基地局制御機と私設基地局とを含む私設移動通信サービスシステムに適用される運用／維持保守処理方法において、私設基地局制御機の主制御部がハードウェアアラーム収集部により収集された各ボードの運用／維持保守情報の伝送されるべきリンクアドレスを確認する第１ステップと、第１ステップの確認結果、リンクアドレスが無線システム管理者モジュール（無線システム管理部）ならば、IPネットワークを介して無線システム管理者モジュールに伝送し、該無線システム管理者モジュールが伝送された運用／維持保守情報を処理する第２ステップと、無線システム管理者モジュールが運用／維持保守制御信号を生成してIPネットワークを介し私設基地局制御機の主制御部に伝送する第３ステップと、私設基地局制御機の主制御部が運用／維持保守制御信号を受けてハードウェアアラーム収集部に運用／維持保守制御信号を伝送し、ハードウェアアラーム収集部が各ボードに対するリセット信号を生成して出力する第４ステップと、を含むことを特徴とするIPネットワークを基盤とした運用／維持保守処理方法を提供する。
【００３０】
第１ステップは、ハードウェアアラーム収集部が各ボードの運用／維持保守情報を収集して私設基地局制御機の主制御部に伝送するステップと、私設基地局制御機の主制御部が運用／維持保守情報の伝送先リンクアドレスを確認するステップと、を含む。また、第２ステップは、第１ステップの確認結果、リンクアドレスが無線システム管理者モジュールならば、IPネットワークを介して無線システム管理者モジュールに運用／維持保守情報を伝送するステップと、無線システム管理者モジュールの一般機能モジュールがIPネットワークから運用／維持保守情報を受信するステップと、一般機能モジュールは、受信した運用／維持保守情報のうち運用情報を、運用機能モジュールに伝送して処理するステップと、一般機能モジュールは、受信した運用／維持保守情報のうち維持保守情報を、維持保守機能モジュールに伝送して処理するステップと、を含む。さらに第４ステップは、私設基地局制御機の主制御部がIPネットワークを介して運用／維持保守制御信号を受信するステップと、私設基地局制御機の主制御部が運用／維持保守制御信号をハードウェアアラーム収集部に伝送するステップと、ハードウェアアラーム収集部が該当ボードに対するリセット信号を生成して出力するステップと、を含む。
【００３１】
またさらに、本発明は、私設基地局制御機と私設基地局とを含む私設移動通信サービスシステムの運用／維持保守処理装置において、運用情報を伝達されてローディング、形状管理、統計測定のうち少なくとも一つの運用機能を提供し、運用制御信号を生成して出力する運用機能モジュールと、維持保守情報を伝達されてシステム状態監視、システム障害制御、システム試験のうち少なくとも一つの維持保守機能を提供し、維持保守制御信号を生成して出力する維持保守機能モジュールと、IPネットワークを介して運用／維持保守情報を受信し、運用情報は運用機能モジュールに出力し、維持保守情報は維持保守機能モジュールに伝送し、運用機能モジュールと維持保守機能モジュールから運用／維持保守制御信号を受けてIPネットワークを介し私設基地局制御機の主制御部に伝送する一般機能モジュールと、を無線システム管理部に備えたことを特徴とするIPネットワークを基盤とした運用／維持保守処理装置を提供する。
【００３２】
運用機能モジュールは、システムローディングを担当するシステムローディング管理者モジュールと、構成及び形状管理を担当する形状データ管理者モジュールと、測定及び統計機能を行う測定統計管理者モジュールと、を備え、維持保守機能モジュールは、システムのプロセッサー、各種リンク、そして各種ディバイスの状態を監視する状態管理者モジュールと、システムの各種障害と警報を収集して運用者に報告する障害管理者モジュールと、各種ディバイスに対する試験と試験呼処理等を行うテスト管理者モジュールと、を備え、一般機能モジュールは、無線システム管理部の駆動時、必要な応用部等を生成して管理する初期化管理者モジュールと、LAN接続及びシステムとのデータ送受信を処理するLANインターフェース管理者モジュールと、グラフィック使用者整合機能を提供する役割を行うユーザーインターフェース管理者モジュールと、を備えてなるものとすることができる。
【００３３】
また、この運用／維持保守処理装置は、私設基地局制御機に実装されて各ボードから運用／維持保守情報を収集して出力し、各ボードの運用／維持保守制御信号を受信して各ボードに対するリセット信号を発生するハードウェアアラーム収集部を更に備えることができる。また、運用／維持保守情報が受信されると、リンクアドレスを確認してリンクアドレスが無線システム管理部ならば、IPネットワークを介して無線システム管理部に伝送し、無線システム管理部からIPネットワークを介して運用／維持保守制御信号が受信されると、該受信された運用／維持保守制御信号をハードウェアアラーム収集部に伝送する私設基地局制御機の主制御部を備えるようにする。
【００３４】
さらに本発明は、私設基地局制御機と私設基地局とを含む私設移動通信サービスシステムの運用／維持保守処理装置において、IP通信のためにLANネットワークとのインターフェースを提供するLANインターフェースと、運用／維持保守情報が受信されると、リンクアドレスを確認し、リンクアドレスが無線システム管理部ならば、LANインターフェースを介して運用／維持保守情報を伝送する運用／維持保守情報伝送部と、LANインターフェースを介して運用／維持保守制御信号を受信してハードウェアアラーム収集部に伝送する運用／維持保守制御信号伝送部と、を私設基地局制御機の主制御部に備えることを特徴とするIPネットワークを基盤とした運用／維持保守処理装置を提供する。
【発明の効果】
【００３５】
本発明によれば、WSMとBMPとの間のネットワークインターフェースとしてLANを用いることにより、従来のAS1A、STIM等を私設基地局制御機のラックに実装しなくてもよいので、かなりの費用節減効果をもたらすことができる効果がある。
【００３６】
また、本発明によれば、WSMとBMPがLANで連結されることにより、距離上の制約無しに、この間にIPネットワークのみあれば、連結可能なようにする効果がある。
【発明を実施するための最良の形態】
【００３７】
以下、図面を参照し、本発明の好適な実施例を詳細に説明すれば、次の通りである。
【００３８】
図４は、本発明に係る私設移動通信サービスシステムにおけるLANネットワークを基盤とした運用／維持保守処理システムの実施例を示した構造図である。
【００３９】
同図を参照すれば、本例の私設移動通信サービスシステムにおけるLANネットワークを基盤とした運用／維持保守処理システムは、ATM Switch Fabric等を備えてATMスイッチ動作を行うASFA(ATM Switch Fabric Board Ass'y)ボード(410)と、公衆用私設基地局制御機及び私設基地局(pPBX423)とE1／T1で連結してATMセルを送受信するAETA(ATM E1／T1 interface board Assembly)ボード(421)と、ボコーダ(vocoder)機能及びPBXとの接続のためのゲートウエイ(gateway)機能を行うTCLA(Transcoder Control and Link Assembly)ボード(422)と、無線環境で移動端末との整合のためのATP(Air Termination Processor)を実装しているATP用BHPA(BSC High Performance Processor board Assembly)ボード(431)と、私設基地局制御機の全体的な制御を担当するBMP(BSC Main Processor)を実装したBMP用BHPA(BSC High Performance Processor board Assembly)ボード(441)と、私設基地局制御機の各部で発生するアラーム情報を収集するHAB(Hardware Alarm Collecting Block)を実装したHACA(Hardware Alarm Collection Board Assembly)ボード(442)と、各ボード(421、422、431、441)とASFAボード(410)との間の通信経路を提供するためのATMセルを多重化／逆多重化するACMA(ATM Cell Mux／Demux board Assembly)ボード(420、430、440)と、BMP用BHPAボード(441)と高速イーサネット（イーサネットは登録商標、以下同じ）を介して運用・維持・保守情報を送受信しながら私設基地局制御機に対する運用・維持・保守機能を行うWSM(Wireless System Manager)(450)とで構成されている。
【００４０】
ここで、AETAボード(421)は、私設基地局と私設基地局制御機との間の通信経路を提供するばかりでなく、公衆用基地局制御機(425)と私設基地局制御機(423)との間の通信経路を提供する。
【００４１】
すなわち、AETAボード(421)は、私設基地局と私設基地局制御機との間、公衆用基地局制御機(425)と私設基地局制御機との間に位置してATMスイッチで構成されたBAN(BSC ATM Network)により、あらゆるデータが交換されるように支援し、私設基地局と私設基地局制御機との間、また公衆用基地局制御機(425)と私設基地局制御機との間にATM-E1／T1による接続を支援する。
【００４２】
AETAボード(421)は、E1インターフェース部とATM階層インターフェース部、プロセッサー間通信部を備えており、公衆用私設基地局制御機及び私設基地局とE1／T1で連結されてATMセルを送受信する。
【００４３】
すなわち、AETAボード(421)は、公衆用私設基地局制御機または私設基地局から受けたATMセルをACMAボード(420)を介してASFAボード(410)を経由してBMP用BHPAボード(441)に伝達したり、BMP用BHPAボード(441)からASFAボード(410)を経由してACMAボード(420)を介して受けたATMセルを公衆用私設基地局制御機または私設基地局に伝送する。このようなAETAボード(421)は、必要に応じて数個を私設基地局制御機に実装できる。
【００４４】
次に、TCLAボード(422)は、pPBX(424)との連結のためのボコーダ(vocoder)機能及びPBXとの接続のためのゲートウエイ(gateway)機能を有し、受け入れることができる呼の程度によってボードの数が変わる。
【００４５】
TCLAボード(422)は、ACMA(420)を介して受信した8k／13k QCELP、8k EVRC等の加入者トラフィック信号をDSP信号を介して64kPCMデータに変換したり、これの逆機能を行う。
【００４６】
ここで使われるDSPは、TCLAボード(422)当たり16個あり、一つのDSP当たり8チャネルのデータをボコーディングできる。TCLAボード(422)は、内部上のタイムスイッチを介してE1／T1チャンネルとDSPとの間のデータ交換機能を行う。
【００４７】
１枚のTCLAボード(422)は、120チャネルのボコーダを受け入れ、4個のE1や5個のT1を提供し、TCLA１ボードに64kbpsのNo.7信号チャンネルを提供する。
【００４８】
次に、ATP用BHPAボード(431)は、音声及びデータ呼処理機能、電力制御及びハンドオフ機能等を行い、データサービスのためのMAC制御及びRLP機能等を行う。
【００４９】
ATP用BHPAボード(431)は、私設基地局制御機の無線インターフェース(Air Interface)を担当し、ASFAボード(410)とACMA(ATM Cell Mux／Demux board Assembly)ボード(430)とを介してATMセルを送受信する。
【００５０】
一般に、ATP用BHPAボード(431)は、6〜8枚のボードからなるが、トラフィックデータ用制御信号を処理するBHPAボード２枚、サーキットデータを処理するBHPA２枚、パケットデータ処理のためにPDSN(Public Data Switching Network)と連動するBHPA２枚で構成され、今後、EV−DOを配慮して２枚は、予約(Reserved)される。
【００５１】
パケットデータ処理のためにPDSNと連動するBHPA２枚は無線区間を介してパケットデータを送／受信するためにマック階層を用いている。
【００５２】
マック階層は、移動端末と私設基地局制御機の各々に備えられ、無線リンクプロトコル(Radio Link Protocol:RLP)エンティティと、無線バーストプロトコル(Radio Burst Protocol:RBP)エンティティ(Entity)とを含む。
【００５３】
次に、BMP用BHPAボード(441)は、私設基地局制御機の主制御部に私設基地局制御機の呼処理、No.7信号処理、私設基地局制御機内の資源管理、及びATMリンク制御等の機能を行う。
【００５４】
次に、HACAボード(442)は、私設基地局制御機の各ボードで発生したハードウェア障害情報を取り合わせ、これをBMP用BHPAボード(441)に報告する役割を行う。
【００５５】
また、HACAボード(442)は、障害が発生したボードを遠隔でリセットするために、BMP用BHPAボード(441)の制御を受けてリセット信号を発生する機能を行う。
【００５６】
HACAボード(442)は、ケーブルを介して私設基地局制御機で発生したハードウェア障害情報を収集し、これをBMP用BHPAボード(441)に伝送するようになるが、障害情報収集のために2＊5HM(Hard metric)コネクターと30AWG5ペアツイスト(pair twist)ケーブルを用いる。
【００５７】
HACAボード(442)は、最大２１ポートを介してケーブルと連結し、各ポート当たり最大６個の障害情報を収集できる。したがって、HACAボード(442)は、ボード当たり総１２６個のハードウェア障害情報を収集できる。
【００５８】
この際、障害情報は、物理的に3.3V LVT信号であり、障害ソース毎にエッジ−ピン(edge-pin)が1個ずつ配分され、シングル−エンデッド(single-ended)伝送方式を用いる。障害情報とともに2＊5ケーブルに受容されるリセット信号も3.3V LVT信号であるが、リセットを信頼性あるように行うことができるようにリセットデータとともに同期クロックを伝送する。
【００５９】
次に、ACMAボード(420、430、440)は、AETAボード(421)、TCLAボード(422)、ATP用BHPAボード(431)、BMP用BHPAボード(441)の伝送データをセル単位で受信し、このデータを多重化してASFAボード(410)に伝達する役割を行う。
【００６０】
また、ACMAボード(420、430、440)は、ASFAボード(410)から伝達されるセルを逆多重化し、セルの情報を分析してAETAボード(421)、TCLAボード(422)、ATP用BHPAボード(431)、BMP用BHPAボード(441)に伝送する役割を行う。
【００６１】
ここで、ASFAボード(410)と、BMP用BHPAボード(441)と、ACMAボード(440)とは、製品の信頼性を高めるために好ましくは二重化され、二重化経路は、高速イーサネット(Fast Ethernet)（Ethernetは登録商標、以下同じ）であり、各ボードの状態を相手ボードに知らせて障害を感知できるようにした。
【００６２】
また、ATMスイッチングボードであるASFAボード(410)と、私設基地局制御機の各部で発生したアラームを受信するHACAボード(442)とは、自体プロセッサーが実装されていないので、BMP用BHPAボード(441)でISA(Industry Standard Architecture)バスを介してASFAボード(410)を制御してATMスイッチ動作を行うようにし、ISAバスを介してHACAボード(442)を制御して各部のアラーム情報等を読み込むようにする。
【００６３】
合わせて、上述したボード(410、420、421、422、430、431、440、441、442)は、シェルバックプレーン(不図示)に実装され、各ボード(410、420、421、422、430、431、440、441、442)は、シェルバックプレーンに設けられた共有バスを介して各種データを交換し、共有バスは、各ボード(410、420、421、422、430、431、440、441、442)相互間のATMセル伝送のための単一の16ビットATMセルバス(ATM Cell Bus)と、BMP用BHPAボード(441)の維持保守機能を行うための各種データを交換するための維持保守データバス(OAM Data Bus)、及びその他のローカルデータを伝送するためのローカルバス(Local Bus)とで構成される。
【００６４】
次に、WSM(450)は、ソフトウェアの維持保守性を考慮して完全なモジュール構造を有しており、大きく一般機能、運用機能、維持保守機能、また付加機能に区分できる。
【００６５】
一方、私設基地局制御機に実装されるボード(410、420、421、422、430、431、440、441、442)のWSM(450)による運用機能処理に関連した運用関連情報や維持保守機能処理と関連した維持保守関連情報等は、HACAボード(442)により収集されてBMP用BHPAボード(441)に報告される。
【００６６】
また、BMP用BHPAボード(441)は、HACAボード(442)から運用関連情報や維持保守関連情報が受信されれば、高速イーサネットを介してWSMに伝送する。
【００６７】
また、BMP用BHPAボード(441)は、WSMから伝送された運用関連情報や維持保守関連情報を高速イーサネットを用いて受信し、HACAボード(442)に伝送して障害等が発生したボードに対して運用または維持保守が可能なようにする。
【００６８】
図５は、図４のBMP用BHPAボードの内部ブロック構成図である。
【００６９】
同図を参照すれば、図４のBMP用BHPAボード(441)の内部構成は、HACAボードから運用／維持保守情報を受信する運用／維持保守情報受信部(510)と、リンクアドレスを確認してWSM(450)を目的地とする情報である場合にLANインターフェース(530)に伝送するためのリンクアドレス確認部(520)と、LANネットワークとのインターフェースを提供するLANインターフェース(530)と、WSMから運用／維持保守制御信号を受信するための運用／維持保守制御信号受信部(540)と、運用／維持保守制御信号をHACAボード(442)に伝送するための運用／維持保守制御信号送信部(550)と、メモリー(560)とを備えている。
【００７０】
運用／維持保守情報受信部(510)は、HACAボード(442)から運用／維持保守情報を受信してメモリー(510)に保存し、リンクアドレス確認部(520)に伝送する。
【００７１】
すると、リンクアドレス確認部(520)は、目的地アドレスを確認し、目的地アドレスがWSM(450)ならば、LANインターフェース(530)に伝送し、目的地アドレスがWSM(450)でなければ、ATMネットワークに伝送する。
【００７２】
LANインターフェース(530)は、WSM(450)が目的地アドレスであるフレームを受信してLANネットワークに伝送することにより、WSM(450)に運用／維持保守情報が伝送されるようにする。
【００７３】
一方、WSM(450)で生成された運用／維持保守制御信号は、LANインターフェース(530)を介して運用／維持保守制御信号受信部(540)に受信され、メモリー(560)に保存される。
【００７４】
また、運用／維持保守制御信号受信部(540)は、運用／維持保守制御信号送信部(550)に運用／維持保守制御信号を伝送するようになり、運用／維持保守制御信号送信部(550)は、HACAボード(442)に運用／維持保守制御信号を伝送し、HACAボード(442)により該当ボードに伝送されるようにする。
【００７５】
図６は、図４のWSMの内部ブロック構成図である。
【００７６】
同図を参照すれば、WSM(450)は、WSM自体の駆動と外部インターフェース機能とを提供する一般機能モジュール(610)と、私設基地局制御機と私設基地局のローディング、形状管理、統計測定等の運用機能を提供する運用機能モジュール(620)と、私設基地局制御機と私設基地局の状態監視、障害制御、システム試験等の維持保守機能を提供する維持保守機能モジュール(630)と、付加機能モジュール(640)とで構成されている。
【００７７】
ここで、一般機能モジュール(610)は、WSM(450)の駆動時、必要な応用部等を生成して管理するBIM(WSM Initialization Manager)モジュール(614)と、LAN接続及びシステムとのデータ送受信を処理するLIM(LAN Interface Manager)モジュール(612)と、グラフィック使用者整合機能を提供する役割を行うUIM(User Interface Manager)モジュール(616)とを備えている。
【００７８】
また、運用機能モジュール(620)は、システムローディングを担当するSLM(System Loading Manager)(622)と、構成及び形状管理を担当するCDM(Configuration Data Manager)(624)と、測定及び統計機能を行うSMM(Statistic and Measurement Manager)(626)とを備えている。
【００７９】
維持保守機能モジュール(630)は、システムのプロセッサー、各種リンク、また各種ディバイスの状態を監視するSTM(Status Manager)(632)と、システムの各種障害と警報を収集して運用者に報告するFLM(Fault Manager)(634)と、各種ディバイスに対する試験と試験呼処理等を行うTSM(Test Manager)(636)とを備えている。
【００８０】
また、付加機能モジュール(640)は、連結制御を行うCCM(Connection and Communication Manager)(642)と、私設基地局制御機と私設基地局とWSM内部で発生するSanityデータの処理を担当するSAM(Sanity Manager)(644)とを備えている。
【００８１】
WSM(450)は、備えたBIM(614)により駆動時、必要なモジュール等を生成して管理していて、私設基地局制御機のBMP用BHPAボードから高速イーサネットを介して伝送される運用情報、維持保守情報をLIM(612)を介して受信し、運用情報である場合には、運用機能モジュール(620)の該当モジュール(622、624、626)に伝送し、維持保守情報である場合には、維持保守機能モジュール(630)の該当モジュール(632、634、636)に伝送する。
【００８２】
また、WSM(450)の一般機能モジュール(610)は、運用機能モジュール(620)の各モジュール(622、624、626)から私設基地局制御機のBMP用BHPAボードに伝送される運用制御信号を受けてLIM(612)を用いて高速イーサネット上に伝送することにより私設基地局制御機のBMP用BHPAボードに運用制御信号が伝送されるようにする。
【００８３】
また、WSM(450)の一般機能モジュール(610)は、維持保守機能モジュール(630)の各モジュール(632、634、636)から私設基地局制御機のBMP用BHPAボードに伝送される維持保守制御信号を受けてLIM(612)を用いて高速イーサネット上に伝送することにより私設基地局制御機のBMP用BHPAボードに維持保守制御信号が伝送されるようにする。
【００８４】
図７は、本発明に係る私設移動通信サービスシステムにおけるLANネットワークを基盤とした運用／維持保守情報処理過程の実施例を示した流れ図である。
【００８５】
まず、HACAボード(442)は、各ボードの運用／維持保守情報を収集してBMP用BHPAボード(441)に伝送する(ステップS110)。
【００８６】
次に、BMP用BHPAボード(441)は、メモリーに運用／維持保守情報を保存する(ステップS112)。
【００８７】
また、BMP用BHPAボード(441)は、運用／維持保守情報が伝送されるべきリンクアドレスを確認し(ステップS114)、WSM用であるかを判断し(ステップS116)、WSM用でなければ、ATMネットワークに伝送し(ステップS118)、WSM用ならば、LANインターフェースを介してWSMに伝送する(ステップS120)。
【００８８】
次に、WSM(450)の一般機能モジュールは、LANインターフェースモジュールを用いて運用／維持保守情報を受信した後に、運用情報は運用機能モジュールに、維持保守情報は維持保守機能モジュールに伝送し(ステップS122)、該当機能モジュールでデータを処理するようにする(ステップS124)。
【００８９】
図８は、本発明に係る私設移動通信サービスシステムにおけるLANネットワークを基盤とした運用／維持保守制御信号処理過程の実施例を示した流れ図である。
【００９０】
まず、WSM(450)の該当機能モジュールは、運用／維持保守制御信号を生成し(ステップS210)、該当機能モジュールは、生成された運用／維持保守制御信号をLANインターフェース(530)に伝送する(ステップS212)。
【００９１】
次に、LANインターフェース(530)は、LANを介して制御信号をBMP用BHPAボード(441)のLANインターフェース(530)に伝送する(ステップS214)。
【００９２】
また、BMP用BHPAボード(441)は、LANインターフェース(530)を介して制御信号を受信した後に、メモリー(560)に保存し(ステップS216)、HACAボード(442)に伝送する(ステップS218)。
【００９３】
次に、HACAボード(442)は、該当ボードに制御信号を伝送して適切な運用／維持保守が進行されるようにする(ステップS220)。
【００９４】
なお、本欄ではLANネットワークの一例として、高速イーサネットを例に挙げて説明したが、これに限定されずに、種々の形態のLANネットワークを用いることができる。
【００９５】
以上、本発明を好適な実施例により詳細に説明したが、本発明の範囲は、特定実施例に限定されずに、添付の特許請求の範囲によって解析されるべきである。
【図面の簡単な説明】
【００９６】
【図１】従来技術に係る公衆及び私設移動通信サービスの概念を説明するための網構成図。
【図２】従来技術に係る私設移動通信サービスシステムの構成図。
【図３】図２の呼管理部と私設基地局制御機との間に接続を提供する光線路に対する例示図。
【図４】本発明に係る私設移動通信サービスシステムにおけるLANネットワークを基盤とした運用／維持保守処理システムの実施例を示した構造図。
【図５】図４のBMP用BHPAボードの内部ブロック構成図。
【図６】図４のWSMの内部ブロック構成図。
【図７】本発明に係る私設移動通信サービスシステムにおけるLANネットワークを基盤とした運用／維持保守情報処理過程の実施例を示した流れ図。
【図８】本発明に係る私設移動通信サービスシステムにおけるLANネットワークを基盤とした運用／維持保守制御信号処理過程の実施例を示した流れ図。
【符号の説明】
【００９７】
４１０                  ASFAボード
４２０、４３０、４４０  ACMAボード
４２１                  AETAボード
４２２                  TCLAボード
４３１、４４１          BHPAボード
４４２                  HACAボード
４５０                  WSM
５１０                  運用／維持保守情報受信部
５２０                  リンクアドレス確認部
５３０                  LANインターフェース
５４０                  運用／維持保守制御信号受信部
５５０                  運用／維持保守制御信号送信部
５６０                  メモリー
６１０                  一般機能モジュール
６２０                  運用機能モジュール
６３０                  維持保守機能モジュール
６４０                  付加機能モジュール
【図１】
2004248292.tif 000003
【図２】
2004248292.tif 000004
【図３】
2004248292.tif 000005
【図４】
2004248292.tif 000006
【図５】
2004248292.tif 000007
【図６】
2004248292.tif 000008
【図７】
2004248292.tif 000009
【図８】
2004248292.tif 000010